(57)【要約】【課題】  ｆθレンズに斜入射することによる走査線の湾曲を補正する手段を低コストで提供することを目的とする。【解決手段】  レーザ光を出射する光源ユニット２ａは、レーザ光を一の方向からポリゴンミラーの回転軸方向に対して垂直に出射する。また、同様に光源ユニット４ａは、レーザ光をポリゴンミラーの回転軸方向に対して垂直ではないあらかじめ定めた角度をもって出射する。所定の角度で入射され反射されたレーザ光については、感光体ドラム３２ａに結像する前に、ｆθレンズ１８ａにより主走査方向に湾曲されたレーザ光を直線状のレーザ光とする補正をシリンドリカルミラー２８ａにおいて行う。  同様に上記一の方向とは別方向からポリゴンミラーの上述の入射面とは別の面に対してレーザ光を出射し、湾曲したレーザ光に対してはシリンドリカルミラー２８ｂにおいて補正を行う。【選択図】  図４
2006064772.tif 000002
【特許請求の範囲】
【請求項１】
カラー画像を形成するレーザ光を色ごとに複数出射するレーザ光出射手段と、前記レーザ光出射手段により出射されたレーザ光を反射するポリゴンミラーと、前記ポリゴンミラーにより反射されたレーザ光を前記色ごとに配置された画像記録面にｆθレンズおよびシリンドリカルミラーを用いて結像する結像手段とを備える画像記録装置において、
前記レーザ光出射手段は、
前記レーザ光のうちの一つである第１のレーザ光が一の方向から前記ポリゴンミラーの回転軸方向に対して垂直に、前記ポリゴンミラーの第１の面に入射されるように、前記第１のレーザ光を出射し、
前記レーザ光のうちの一つである第２のレーザ光が前記一の方向から前記ポリゴンミラーの回転軸方向に対して垂直ではないあらかじめ定めた角度をもって、前記第１の面に入射されるように、前記第２のレーザ光を出射し、
前記レーザ光のうちの一つである第３のレーザ光が前記一の方向とは別の方向から前記ポリゴンミラーの回転軸方向に対して垂直に、前記第１の面とは別の第２の面に入射されるように、前記第３のレーザ光を出射し、
前記レーザ光のうちの一つである第４のレーザ光が前記別の方向から前記ポリゴンミラーの回転軸方向に対して垂直ではないあらかじめ定めた角度をもって前記第２の面に入射されるように、前記第４のレーザ光を出射し、
前記結像手段を構成するｆθレンズは、前記ポリゴンミラーから反射された前記第１から第４のレーザ光を透過させ、
前記結像手段を構成するシリンドリカルミラーは、長手方向に湾曲して形成され、主走査方向に湾曲して形成されたレーザ光の走査線を、主走査方向において直線状のレーザ光走査線とする補正を行って前記画像記録面に向けて反射すること、
を特徴とする画像記録装置。
【請求項２】
前記長手方向に湾曲して形成されるシリンドリカルミラーは、前記ポリゴンミラーで反射され、前記ｆθレンズを透過したレーザ光の内の前記第２及び第４のレーザ光を反射するシリンドリカルミラーであることを特徴とする請求項１に記載の画像記録装置。
【請求項３】
前記シリンドリカルミラーの中央部を押圧して前記シリンドリカルミラーを長手方向に湾曲させる押圧手段を備えていることを特徴とする請求項１または２に記載の画像記録装置。
【請求項４】
前記押圧手段は前記第２及び第４のレーザ光を反射するシリンドリカルミラーのみを長手方向に湾曲させる押圧手段であることを特徴とする請求項３に記載の画像記録装置。
【発明の詳細な説明】
【技術分野】
【０００１】
本発明は、カラー画像記録を行う画像記録装置に関する。
【背景技術】
【０００２】
フルカラー型のレーザプリンタにおける光走査装置として、ポリゴンミラーおよび結像光学手段（ｆθレンズ、シリンドリカルミラー、反射ミラーなど、）を用いて、各色に対応した感光体ドラム（画像形成面）上にレーザ光を結像するものが知られている。例えば、特開２００４−１２７７４号公報（特許文献１）に記載の光走査装置において、ポリゴンミラーから反射されたレーザ光は、ｆθレンズ、反射ミラーを介して感光体ドラム上を走査することが記載されている（特許文献１の図１０参照）。この光走査装置では、カラー画像を形成する各色のレーザ光のうち２色に対応するレーザ光がポリゴンミラーの上部に照射され、他の２色に対応するレーザ光がポリゴンミラーの下部に照射されている。
【０００３】
さらに、それぞれ２色に対応するレーザ光のうちの１色に対応するレーザ光は、水平方向（回転軸に対して垂直方向）にポリゴンミラーに照射され、ポリゴンミラーによりそのまま水平方向に反射される。もう一方の色に対応するレーザ光は、角度を変えてポリゴンミラーに対して照射し、ポリゴンミラーにより入射角度に応じた角度で反射される。反射された各色に対応したレーザ光は、それぞれｆθレンズ等を介してそれぞれの色に対応した画像形成面上に結像される。
【特許文献１】特開２００４−１２７７４号公報
【発明の開示】
【発明が解決しようとする課題】
【０００４】
しかしながら、特許文献１に記載の技術においては、複数のレーザ光が同一方向からポリゴンミラーの同一面に入射されることになる。したがって、ポリゴンミラーの厚みが必要となり、コストアップの要因となる。また、厚みのあるポリゴンミラーを高速回転させるには高出力の駆動モータが必要になり、大型化や発熱の問題が発生しやすかった。
【０００５】
そこで、本発明は上述の問題を解消し、コストのかからない画像記録装置を提供することを目的とする。
【課題を解決するための手段】
【０００６】
上記課題を解決するため、本発明の画像記録装置は、カラー画像を形成するレーザ光を色ごとに複数出射するレーザ光出射手段と、前記レーザ光出射手段により出射されたレーザ光を反射するポリゴンミラーと、前記ポリゴンミラーにより反射されたレーザ光を前記色ごとに配置された画像記録面にｆθレンズおよびシリンドリカルミラーを用いて結像する結像手段とを備える画像記録装置において、前記レーザ光出射手段は、前記レーザ光のうちの一つである第１のレーザ光が一の方向から前記ポリゴンミラーの回転軸方向に対して垂直に、前記ポリゴンミラーの第１の面に入射されるように、前記第１のレーザ光を出射し、前記レーザ光のうちの一つである第２のレーザ光が前記一の方向から前記ポリゴンミラーの回転軸方向に対して垂直ではないあらかじめ定めた角度をもって、前記第１の面に入射されるように、前記第２のレーザ光を出射し、前記レーザ光のうちの一つである第３のレーザ光が前記一の方向とは別の方向から前記ポリゴンミラーの回転軸方向に対して垂直に、前記第１の面とは別の第２の面に入射されるように、前記第３のレーザ光を出射し、前記レーザ光のうちの一つである第４のレーザ光が前記別の方向から前記ポリゴンミラーの回転軸方向に対して垂直ではないあらかじめ定めた角度をもって前記第２の面に入射されるように、前記第４のレーザ光を出射し、前記結像手段を構成するｆθレンズは、前記ポリゴンミラーから反射された前記第１から第４のレーザ光を透過させ、前記結像手段を構成するシリンドリカルミラーは、長手方向に湾曲して形成され、主走査方向に湾曲して形成されたレーザ光の走査線を、主走査方向において直線状のレーザ光走査線とする補正を行って前記画像記録面に向けて反射する構成を備えている。
【０００７】
この発明によれば、一の方向から第１および第２のレーザ光をポリゴンミラーの第１の面に入射されるように出射し、一の方向とは別の方向から第３および第４のレーザ光をポリゴンミラーの上記第１の面とは別の第２の面に入射されるように出射する。そして、第１のレーザ光および第２のレーザ光をポリゴンミラーの回転軸に対して垂直に入射させ、第２のレーザ光および第４のレーザ光をポリゴンミラーの回転軸方向に対して予め定めた角度をもって入射させる。そして、第２および第４のレーザ光は、ｆθレンズに予め定めた角度をもって入射される。ｆθレンズでは、入射された第２および第４のレーザ光の走査線に対して主走査方向に湾曲させるよう作用する。そして、長手方向に湾曲したシリンドリカルミラーでは、湾曲させられたレーザ光の走査線を補正する。これにより、ポリゴンミラーに入射される第１および第２のレーザ光と、第３および第４のレーザ光とはそれぞれポリゴンミラーの別々の面に入射され、ポリゴンミラーの厚さを薄くすることができる。よって、低コストのポリゴンミラーを画像記録装置に用いることができ、低コストの画像記録装置を実現することができる。また、ポリゴンミラーの別々の面に入射されることから、レーザ光による発熱を抑えることができる。
【０００８】
また、本発明の前記長手方向に湾曲して形成されるシリンドリカルミラーは、前記ポリゴンミラーで反射され、前記ｆθレンズを透過したレーザ光の内の前記第２及び第４のレーザ光を反射するシリンドリカルミラーであるように構成することも好ましい。
【０００９】
この発明によれば、ｆθレンズにより主走査方向に湾曲させられた第２および第４のレーザ光の走査線を補正することができる。
【００１０】
また、本発明は、前記シリンドリカルミラーの中央部を押圧して前記シリンドリカルミラーを長手方向に湾曲させる押圧手段を備えている。
【００１１】
この発明によれば、簡単な構成によりｆθレンズにより生じたレーザ光における主走査方向の湾曲状態を補正することができる。
【００１２】
また、本発明の前記押圧手段は前記第２及び第４のレーザ光を反射するシリンドリカルミラーのみを長手方向に湾曲させる構成を備えることも好ましい。
【００１３】
この発明によれば、簡単な構成によりｆθレンズにより生じたレーザ光における主走査方向の湾曲状態を補正することができ、特に湾曲された走査線である第２及び第４のレーザ光の走査線のみに対して適切に低コストで補正することができる。
【発明の効果】
【００１４】
本発明は、低コスト化が図れる画像記録装置を実現することができる。
【発明を実施するための最良の形態】
【００１５】
本発明は、一実施の形態のために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１６】
まず、本実施形態に係る画像記録装置１について説明する。図１は、画像記録装置１における要部の平面図である。本実施形態における画像記録装置１は、ポリゴンミラー１６を装置中央部に配置して、このポリゴンミラー１６を境に、線対称となるよう光源ユニット２ａ、２ｂ、４ａ、４ｂ、レンズ６ａ、６ｂ、８ａ、８ｂ、レンズ１０ａ、１０ｂ、１２ａ、１２ｂ、反射ミラー１４ａ、１４ｂ、ｆθレンズ１８ａ、１８ｂ、レンズ２０ａ、２０ｂ、反射ミラー２２ａ、２２ｂを配置している。これら反射ミラー、レンズなどの光学系は結像手段として機能する。以下、各構成について説明する。
【００１７】
光源ユニット２ａは、画像を形成する色に対応した画像信号であるレーザ光ＬＡを出力するレーザ光出射手段である。同様に光源ユニット４ａは、光源ユニット２ａから出力する色とは異なる色に対応した画像信号であるレーザ光ＬＢを出力するレーザ光出射手段である。
【００１８】
レンズ６ａは、光源ユニット２ａから出射されたレーザ光ＬＡを集光して、レンズ１０ａを介して反射ミラー１４ａに向けて透過させる。同様に、レンズ８ａは、光源ユニット４ａから出射されたレーザ光ＬＢを集光して、レンズ１２ａを介して反射ミラー１４ａに向けて透過させる。
【００１９】
反射ミラー１４ａは、光源ユニット２ａから出力されたレーザ光ＬＡ、および光源ユニット４ａから出力されたレーザ光ＬＢをポリゴンミラー１６に向けて反射するミラーである。反射ミラー１４ａは、光源ユニット２ａ、４ａから出力されるレーザ光ＬＡ、ＬＢの入射される角度に応じた角度をもってポリゴンミラー１６に向けてレーザ光ＬＡ、ＬＢを反射する。ここでは、レーザ光ＬＡがポリゴンミラー１６に向けて、ポリゴンミラー１６の回転軸に対して垂直に（水平に）入射され、レーザ光ＬＢがポリゴンミラー１６に向けて、ポリゴンミラー１６の回転軸に対して所定の角度（垂直ではない）をもって入射される。
【００２０】
ここで、ポリゴンミラー１６に対する入射角度と反射角について説明する。図２は、光源ユニット２ａ、４ａからレーザ光が出力されるときの光源ユニット２ａ、４ａとポリゴンミラーの位置関係を示す模式図である。図２で示すように、光源ユニット２ａ、４ａは、その出力位置が互いに異なっている。そして、光源ユニット２ａから出力されたレーザ光ＬＡは反射ミラー１４ａを介してポリゴンミラー１６に向けて、ポリゴンミラー１６の回転軸に対して垂直に入力されるように出力される。光源ユニット４ａから出力されたレーザ光ＬＢはポリゴンミラー１６に対して所定の角度（水平ではない）で入射されるように所定の高さから出力される。
【００２１】
図１に戻り、引き続き説明する。ポリゴンミラー１６は、正六角形の形状をしており、それ自体回転しながら、反射ミラー１４ａから反射されたレーザ光を入射し、反射するものである。そして、ポリゴンミラー１６は、入射されたレーザ光を回転しながら反射することにより、画像形成面に対して主走査し、画像を記録する。所定の角度をもって入射されたレーザ光は、入射された角度に対応した角度をもって反射することになる。なお、ポリゴンミラー１６は、レーザ光ＬＡ、ＬＢを反射する反射面である第１の面１６ａおよびレーザ光ＬＣ、ＬＤを反射する反射面である第２の面１６ｂを形成している。そして、ポリゴンミラー１６は回転しているため、第１の面１６ａ、第２の面１６ｂは、その回転に応じて常に他の面と置き換わっている。
【００２２】
ここで、その具体例を示す。図３は、ポリゴンミラー１６が入射されたレーザ光を反射するときの反射光の角度を示す模式図である。図３に示すように、ポリゴンミラー１６に入射された光ビームＬＡ、ＬＢは、それぞれ入射された角度に応じた角度をもって反射され、後述するｆθレンズ１８ａに入射されることになる。
【００２３】
図１に戻り、引き続き説明する。ｆθレンズ１８ａは、ポリゴンミラー１６から反射されたレーザ光ＬＡ、ＬＢを入射し、画像形成面における主走査方向の走査速度を等速にして透過させるためのレンズである。ｆθレンズ１８ａは、それぞれ反射ミラー２２ａにレーザ光ＬＡ、ＬＢを透過させる。なお、ｆθレンズ１８ａはレンズ２０ａを含んで構成される。ここで、レーザ光ＬＢは所定の角度を持って、ｆθレンズ１８ａに入射される。よって、ｆθレンズの特性上、レーザ光ＬＢの走査線は、主走査方向に湾曲した状態となって透過されることになる。
【００２４】
反射ミラー２２ａは、それぞれｆθレンズ１８ａを介して入射されたレーザ光ＬＡ、ＬＢを画像形成面側に反射するミラーである。
【００２５】
このように、光源ユニット２ａからのレーザ光ＬＡは水平方向に、光源ユニット４ａからのレーザ光ＬＢは所定の角度をもって、ポリゴンミラー１６に対して出力される。そして、レーザ光ＬＢは所定の角度をもってポリゴンミラー１６により反射され、ｆθレンズ１８ａに入射されることになる。ｆθレンズ１８ａでは、水平ではない所定の角度をもって入射されるレーザ光の走査線に対して、主走査方向に湾曲させることになる。
【００２６】
以上のとおり、光源ユニット２ａ、４ａから出力されたレーザ光ＬＡ、ＬＢを処理するミラー、レンズ系について説明したが、光源ユニット２ｂ、４ｂから出力されたレーザ光ＬＣ、ＬＤについても同様にミラー、レンズにより処理される。具体的には、光源ユニット２ｂ、４ｂから出力されたレーザ光ＬＣ、ＬＤは、レーザ光ＬＡ、ＬＢとは別の方向からポリゴンミラーに対して入射されるよう、出射される。
【００２７】
すなわち、レーザ光ＬＣ、ＬＤは、反射ミラー１４ｂにより反射されることにより、反射されたレーザ光はレーザ光ＬＡ、ＬＢとは別の方向からポリゴンミラー１６に入射される。このとき、レーザ光ＬＣ、ＬＤは、レーザ光ＬＡ、ＬＢが入射される第１の面１６ａとは別の面である第２の面１６ｂに入射される。ポリゴンミラー１６では、回転しながら入射されたレーザ光をｆθレンズ１８ｂに向けて反射し、ｆθレンズ１８ｂはこれを透過させる。透過されたレーザ光は、レンズ２０ｂを介して反射ミラー２２ｂで、画像形成面側に反射される。なお、ここではレーザ光ＬＣがポリゴンミラー１６に対して所定の角度を持って入射されるレーザ光であり、レーザ光ＬＤがポリゴンミラー１６に対してその回転軸に対して垂直に入射されるレーザ光である。
【００２８】
次に、反射ミラー２２ａにより反射されたレーザ光を画像形成面に結像させる構成について説明する。図４は、画像記録装置１のＩＶ−ＩＶ面における断面図である。
【００２９】
図４に示すように、画像記録装置１は、上記構成に加えて、さらに反射ミラー２４ａ、２６ａ、３４ａ、２４ｂ、２６ｂ、３４ｂ、シリンドリカルミラー２８ａ、３６ａ、２８ｂ、３６ｂ、カバーガラス３０ａ、３８ａ、３０ｂ、３８ｂ、感光体ドラム３２ａ、４０ａ、３２ｂ、４０ｂを備えている。これら反射ミラー、レンズなどの光学系は決像手段として機能する。以下、各構成について説明する。
【００３０】
反射ミラー２４ａは、反射ミラー２２ａから反射され、各色に対応したレーザ光ＬＡ、ＬＢを反射する。反射されたレーザ光ＬＡは、反射ミラー３４ａに入射され、レーザ光ＬＢは、反射ミラー２６ａに入射される。
【００３１】
反射ミラー２６ａは、反射ミラー２４ａから反射されたレーザ光ＬＢをシリンドリカルミラー２８ａに向けて反射する。
【００３２】
反射ミラー３４ａは、反射ミラー２４ａから反射されたレーザ光ＬＡをシリンドリカルミラー３６ａに向けて反射する。
【００３３】
シリンドリカルミラー２８ａは、反射ミラー２６ａから反射されたレーザ光ＬＢを入射し、これを感光体ドラム３２ａに向けて反射する。ここで、シリンドリカルミラー２８ａは、長手方向に湾曲した形状に形成されている。これにより、主走査方向に湾曲されたレーザ光ＬＢの走査線を、主走査方向に湾曲していない直線状となるレーザ光の走査線に補正することができる。なお、シリンドリカルミラー２８ａにおいて長手方向に湾曲した形状とは、ｆθレンズ１８ａにより主走査方向に湾曲させられたレーザ光の走査線を直線状のレーザ光の走査線に補正することができる程度の形状をいう。このシリンドリカルミラー２８ａについての詳細は後述する。
【００３４】
シリンドリカルミラー３６ａは、反射ミラー３４ａから反射されたレーザ光ＬＡを入射し、これを感光体ドラム４０ａに向けて反射する。シリンドリカルミラー３６ａに入射されるレーザ光ＬＡは、特に補正する必要のないレーザ光であるため、シリンドンリカルミラー３６ａは、シリンドリカルミラー２８ａと異なり、直線状の形状で形成されている。
【００３５】
感光体ドラム３２ａは、画像形成面を形成するものであって、シリンドリカルミラー２８ａから反射されたレーザ光ＬＢに基づいて画像が記録される。
【００３６】
感光体ドラム４０ａは、画像形成面を形成するものであって、シリンドリカルミラー３６ａから反射されたレーザ光ＬＡに基づいて画像が記録される。
【００３７】
このように、レーザ光ＬＢの走査線については、主走査方向に湾曲したものとなっており、これをシリンドリカルミラー２８ａで補正するため、シリンドリカルミラー２８ａは、レーザ光ＬＢの走査線の湾曲した状態に対応して湾曲した形状に形成される必要がある。レーザ光ＬＡの走査線については、特に主走査方向に湾曲しておらず、シリンドリカルミラー３６ａでは特に補正するための特別な形状を施す必要はない。
【００３８】
レーザ光ＬＣ、ＬＤについても同様に反射ミラー２４ｂを用いて、レーザ光ＬＣは反射ミラー２６ｂに向けて反射され、レーザ光ＬＤは反射ミラー３４ｂに向けて反射される。レーザ光ＬＣはシリンドリカルミラー２８ｂに向けて反射され、シリンドリカルミラー２８ｂではさらに感光体ドラム３２ｂに反射する。また、レーザ光ＬＤはシリンドリカルミラー３６ｂに向けて反射され、シリンドリカルミラー３６ｂではさらに感光体ドラム４０ｂに向けて反射する。感光体ドラム３２ｂ、４０ｂでは、レーザ光ＬＣ、ＬＤにより形成される画像が記録される。なお、レーザ光ＬＣの走査線については、主走査方向に湾曲したものとなっていることから、シリンドリカルミラー２８ｂにてこれを補正する必要がある。よって、シリンドリカルミラー２８ｂは、上述シリンドリカルミラー２８ａと同様に、レーザ光ＬＣの走査線に合わせて主走査方向に湾曲する形状となっている。
【００３９】
次に、シリンドリカルミラー２８ａ（または２８ｂ）の構成について説明する。図５は、シリンドリカルミラー２８ａにおけるミラー部５０と保持部５１との分解斜視図である。
【００４０】
図５に示すように、保持部５１は、断面が角状のミラー部５０を、その反射面を露出して保持することのできる形状を有しおり、板金から形成されている。また、保持部５１の内壁面の端部には、突部５２が形成されている。突部５２は、保持部５１の長手方向における内壁面の端部に、面を形成することができるように３つ形成されている。この突部５２が形成される内壁面に対向する側からミラー部５０がネジにより押圧されることになる（図６参照）。
【００４１】
また、保持部５１には穴部５３ａが形成されている。この穴部５３ａは、ミラー部５０を押圧するためのネジ５３をねじ込むためのネジ穴であって、その内周面にはネジ溝が形成されている。さらに、保持部５１には、切り欠き部５４が形成されている。この切り欠き部５４は、後述する薄い板状の板部材５５（図６〜図８を参照）の位置決めをするための部分であって、切り欠き部５４を形成する切り欠き部分に板部材５５が引っ掛けられる。
【００４２】
さらに、シリンドリカルミラー２８ａの平面図、側面図、および断面図を用いて説明する。図６は、シリンドリカルミラー２８ａの平面図であり、図７は、シリンドリカルミラー２８ａの側面図であり、図８は、シリンドリカルミラー２８ａのＶＩＩ−ＶＩＩ面における断面図である。
【００４３】
図６において、シリンドリカルミラー２８ａは、ミラー部５０、保持部５１、およびフォルダ部５６を主要部品として構成されている。ミラー部５０は、保持部５１により保持され、さらに保持部５１は、フォルダ部５６により保持される。
【００４４】
フォルダ部５６の側面には穴部５３ｂが形成されており、この穴部５３ｂの内周面にははネジ５３をねじ込むことができるネジ溝が形成されている。そしてネジ５３は、保持部５１に形成される穴部５３ａ、およびこの穴部５３ｂを介してねじ込むことができる。そして、ねじ込まれたネジ５３は、板部材５５を挟んでミラー部５０に対して押圧することができる。
【００４５】
また、板部材５５は、保持部５１に形成される切り欠き部５４により位置決めされて保持される。この板部材５５は、ネジ５３の先端部分がミラー部５０に直接接触せず、ネジの押圧力を分散させるための部材である。止め具５７は、フォルダ部５６にミラー部５０および保持部５１をフォルダ部５６内に固定し保持するための部材である。
【００４６】
次に、シリンドリカルミラー２８ａの側面図である図７に基づいて説明する。フォルダ部５６にはネジ５３をねじ込むことのできる穴部５３ｂがフォルダ部５６の側面のほぼ中央部分に形成されている。また、板部材５５の端部を差し込むことのできる差込口５５ａが穴部５３ｂの近傍に形成されている。
【００４７】
次に、ＶＩＩＩ−ＶＩＩＩ面における断面図である図８に基づいてシリンドリカルミラー２８ａを説明する。図８で示す断面図において、ミラー部５０は、保持部５１により保持され、さらに保持部５１はフォルダ部５６により保持されている。上述したとおりフォルダ部５６には、穴部５３ｂが形成されており、この穴部５３ｂ、および保持部５１に形成される穴部５３ａを介してネジ５３をねじ込むことにより、ネジ５３の先端部を板部材５５に突き当て、板部材５５を介してミラー部５０を押圧する。
【００４８】
上述したとおり、保持部５１の内壁面には、突部５２が形成されており、この突部５２が形成される内壁面と対向する側からネジ５３によりミラー部５０を押圧することになる。これにより、突部５２とネジ５３とが作用して、ミラー部５０は長手方向における中央部分で押し曲げられ、湾曲した形状を形成することになる。よって、ネジ５３および突部５２は、ミラー部５０の中央部を押圧する押圧手段として機能することになる。
【００４９】
このように、シリンドリカルミラー２８ａは、湾曲された形状となるようネジ５３により押し曲げられる。湾曲された形状となったシリンドリカルミラー２８ａに、ｆθレンズ１８ａを介して湾曲に変形されたレーザ光の走査線が入射される。そして、このシリンドリカルミラー２８ａによって直線状のレーザ光走査線に補正され、画像形成面に記録されることになる。シリンドリカルミラー２８ｂについても同様の構成である。
【００５０】
本実施形態においては、シリンドリカルミラー２８ａおよび２８ｂに対してのみ、上述のネジ５３により変形させる作業を行うことが必要である。一方、他のシリンドリカルミラー３６ａ、３６ｂについては、ネジ５３による調整作業をする必要はない。
【００５１】
以上説明したとおり、一の方向からレーザ光ＬＡ、ＬＢをポリゴンミラー１６の第１の面１６ａに対して入射させ、一の方向とは別の方向からレーザ光ＬＣ、ＬＤをポリゴンミラー１６の第１の面１６ａとは別の第２の面１６ｂに対して入射させる。そして、レーザ光ＬＡ、ＬＤをポリゴンミラーの回転軸方向に対して垂直にそれぞれ第１の面１６ａ、第２の面１６ｂに入射させ、レーザ光ＬＢ、ＬＣについて角度をもってそれぞれ第１の面１６ａ、第２の面１６ｂに入射させる。そして、レーザ光ＬＢ、ＬＣは、ｆθレンズ１８ａに所定の角度をもって入射される。ｆθレンズ１８ａでは、入射されたレーザ光ＬＢ、ＬＣの走査線に対して主走査方向に湾曲させるよう作用をする。そして、長手方向に湾曲したシリンドリカルミラー２８ａでは、主走査方向に湾曲させられたレーザ光ＬＢ、ＬＣの走査線を直線状となったレーザ光の走査線に補正する。
【００５２】
これにより、ポリゴンミラーに入射されるレーザ光ＬＡ、ＬＢ、およびレーザ光ＬＣ、ＬＤはそれぞれポリゴンミラー１６の別々の面に入射され、ポリゴンミラー１６の厚さを薄くすることができる。よって、低コストのポリゴンミラー１６を画像記録装置１に用いることができ、低コストの画像記録装置１を実現することができる。また、ポリゴンミラー１６の別々の面に入射されることから、厚みのあるポリゴンミラーを採用する必要がなく、厚みのあるポリゴンミラーを高速回転させるための高出力の駆動モータを不要とし、画像記録装置の大型化や発熱の問題を解消することができる。
【００５３】
また、ポリゴンミラー１６から反射された各レーザ光ＬＢ、ＬＣはｆθレンズに予め定められた角度をもって入射される。これにより、画像形成面上でＢＯＷ（走査線の湾曲）が発生するという問題が生じるが、上述のとおりシリンドリカルミラー２８ａ、２８ｂを用いてＢＯＷの調整を行うことができる。つまり、ネジ５３をねじ込むことによりミラー部５０を押圧することによって、シリンドリカルミラー２８ａ、２８ｂを長手方向に湾曲させることができる。よって、シリンドリカルミラー２８ａ、２８ｂを用いた簡単な調整作業により、ｆθレンズにより生じたＢＯＷを補正することができる。
【００５４】
レーザ光ＬＢ、ＬＣを反射するシリンドリカルミラー２８ａ、２８ｂのみに上述ネジ５３による調整機構を備えることも好ましい。これによれば、特に湾曲された走査線であるレーザ光ＬＢ、ＬＣの走査線のみに対して適切に補正することができ、低コストで画像記録装置を実現できる。
【００５５】
なお、本実施形態では、光源ユニット２ａ、２ｂ、４ａ、４ｂのそれぞれがレーザ光ＬＡ〜ＬＤを出射する構成をとっているが、一つの光源ユニットから４種類のレーザ光を出力するよう構成してもよい。その構成をとる場合、レーザ光ＬＡ、ＬＢとレーザ光ＬＣ、ＬＤが、ポリゴンミラー１６に対して、反射ミラーを用いることにより別々の方向から入射させることが必要である。
【図面の簡単な説明】
【００５６】
【図１】画像記録装置１における要部の平面図である。
【図２】光源ユニット２ａ、４ａとポリゴンミラーの位置関係を示す模式図である。
【図３】ポリゴンミラー１６が入射されたレーザ光を反射するときの反射光の角度を示す模式図である。
【図４】画像記録装置１のＩＶ−ＩＶ面における断面図である。
【図５】シリンドリカルミラー２８ａの分解斜視図である。
【図６】シリンドリカルミラー２８ａの平面図である。
【図７】シリンドリカルミラー２８ａの側面図である。
【図８】シリンドリカルミラー２８ａのＶＩＩＩ−ＶＩＩＩ面における断面図である。
【符号の説明】
【００５７】
１・・・画像記録装置、２ａ、２ｂ、４ａ、４ｂ・・・光源ユニット、１４ａ、１４ｂ・・・反射ミラー、１６・・・ポリゴンミラー、１６ａ・・・第１の面、１６ｂ・・・第２の面、１８ａ、１８ｂ、２０ａ、２０ｂ・・・ｆθレンズ、２２ａ、２２ｂ、２４ａ、２４ｂ、２６ａ、２６ｂ、３４ａ、３４ｂ・・・反射ミラー、２８ａ、２８ｂ、３６ａ、３６ｂ・・・シリンドリカルミラー、３２ａ、３２ｂ、４０ａ、４０ｂ・・・感光体ドラム、５０・・・ミラー部、５１・・・保持部、５２・・・突部、５３・・・ネジ、５３ａ・・・穴部、５３ｂ・・・穴部、５４・・・切り欠き部、５５ａ・・・差込口、５５・・・板部材、５６・・・フォルダ部、５７・・・止め具。
【図１】
2006064772.tif 000003
【図２】
2006064772.tif 000004
【図３】
2006064772.tif 000005
【図４】
2006064772.tif 000006
【図５】
2006064772.tif 000007
【図６】
2006064772.tif 000008
【図７】
2006064772.tif 000009
【図８】
2006064772.tif 000010